(57)【要約】      （修正有）【課題】クレーン等で吊り上げることにより、建設現場のコンクリートミキサーにコンクリート骨材工場で計量されたコンクリート骨材とセメントを混合状態で投入して、容易に最適な生コンクリートを製造することができるとともに、使用するまではセメントがセメント収納袋内に収納されているため品質低下を防止できるコンクリート原料およびコンクリート原料の輸送袋の提供。【解決手段】上部に開口部２が形成され底面中央部に排出口３が形成されたコンクリート骨材収納袋５と、排出口３を開閉することができる開閉手段６と、コンクリート骨材収納袋５に取付けられた吊りロープ７と、コンクリート骨材収納袋５に収納された所定量のコンクリート骨材１０と、コンクリート骨材収納袋５に収納されたセメント収納袋８と、このセメント収納袋８に収納された所定量のセメント１１と、セメント収納袋吊りロープ１６とでコンクリート原料１を構成。【選択図】図１
2006249855.tif 000002
【特許請求の範囲】
【請求項１】
上部に開口部が形成され、底面中央部に排出口が形成されたコンクリート骨材収納袋と、このコンクリート骨材収納袋の排出口を開閉することができる開閉手段と、前記コンクリート骨材収納袋の排出口を下部に位置させた状態で吊り上げられるように、該コンクリート骨材収納袋に取付けられた吊りロープと、前記コンクリート骨材収納袋に収納された所定量のコンクリート骨材と、このコンクリート骨材が収納された前記コンクリート骨材収納袋内に開放された下部が折り曲げや重ね合わせで閉じられたセメント収納袋と、このセメント収納袋内に収納された所定量のセメントと、前記セメント収納袋の上部に取付けられた、使用時に前記吊りロープとほぼ同時に吊り上げられるように取付けられたセメント収納袋吊りロープとからなることを特徴とするコンクリート原料。
【請求項２】
上部に開口部が形成され、底面中央部に排出口が形成されたコンクリート骨材収納袋と、このコンクリート骨材収納袋の排出口を開閉することができる開閉手段と、前記コンクリート骨材収納袋の排出口を下部に位置させた状態で吊り上げられるように、該コンクリート骨材収納袋に取付けられた吊りロープと、前記コンクリート骨材収納袋内に所定量のコンクリート骨材が収納されたコンクリート骨材の上部に開放された下部が折り曲げや重ね合わせで閉じられた所定量のセメントが収納されるセメント収納袋と、このセメント収納袋の上部に取付けられた、使用時に前記吊りロープとほぼ同時に吊り上げられるように取付けられたセメント収納袋吊りロープとからなるコンクリート原料の輸送袋。
【発明の詳細な説明】
【技術分野】
【０００１】
本発明は現場で容易に生コンクリートを製造できるように輸送することができるコンクリート原料およびコンクリート原料の輸送袋に関する。
【背景技術】
【０００２】
従来、建設現場で使用する生コンクリートは生コン工場でコンクリートミキサー車に砂や砂利等のコンクリート骨材、セメント、水を計量して投入し、混錬しながら建設現場へ輸送しているため、輸送時間によって生コンクリートの品質の低下が生じるという欠点があるとともに、水を加えた生コンクリートの輸送であるため、重量が重く、輸送効率が悪いという欠点があった。
また、建設現場で生コンクリートを製造することも考えられるが、コンクリート骨材やセメントを計量しなければならず、最適な生コンクリートの製造が難しいという欠点があった。
【特許文献１】特になし
【発明の開示】
【発明が解決しようとする課題】
【０００３】
本発明は以上のような従来の欠点に鑑み、建設現場のコンクリートミキサーにコンクリート骨材工場で計量されたコンクリート骨材とセメントを混合状態で投入して、容易に最適な生コンクリートを製造することができるとともに、使用するまではセメントがセメント収納袋内に収納されているため品質が低下するのを防止でき、使用時にはクレーン等で吊り上げることにより、コンクリートミキサーに混合しながら投入することができるコンクリート原料およびコンクリート原料の輸送袋を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は上部に開口部が形成され、底面中央部に排出口が形成されたコンクリート骨材収納袋と、このコンクリート骨材収納袋の排出口を開閉することができる開閉手段と、前記コンクリート骨材収納袋の排出口を下部に位置させた状態で吊り上げられるように、該コンクリート骨材収納袋に取付けられた吊りロープと、前記コンクリート骨材収納袋に収納された所定量のコンクリート骨材と、このコンクリート骨材が収納された前記コンクリート骨材収納袋内に開放された下部が折り曲げや重ね合わせで閉じられたセメント収納袋と、このセメント収納袋内に収納された所定量のセメントと、前記セメント収納袋の上部に取付けられた、使用時に前記吊りロープとほぼ同時に吊り上げられるように取付けられたセメント収納袋吊りロープとでコンクリート原料を構成している。
【０００６】
本発明は上部に開口部が形成され、底面中央部に排出口が形成されたコンクリート骨材収納袋と、このコンクリート骨材収納袋の排出口を開閉することができる開閉手段と、前記コンクリート骨材収納袋の排出口を下部に位置させた状態で吊り上げられるように、該コンクリート骨材収納袋に取付けられた吊りロープと、前記コンクリート骨材収納袋内に所定量のコンクリート骨材が収納されたコンクリート骨材の上部に開放された下部が折り曲げや重ね合わせで閉じられた所定量のセメントが収納されるセメント収納袋と、このセメント収納袋の上部に取付けられた、使用時に前記吊りロープとほぼ同時に吊り上げられるように取付けられたセメント収納袋吊りロープとでコンクリート原料の輸送袋を構成している。
【発明の効果】
【０００７】
以上の説明から明らかなように、本発明にあっては次に列挙する効果が得られる。
【０００８】
（１）上部に開口部が形成され底面中央部に排出口が形成されたコンクリート骨材収納袋と、このコンクリート骨材収納袋の排出口を開閉することができる開閉手段と、前記コンクリート骨材収納袋の排出口を下部に位置させた状態で吊り上げられるように、該コンクリート骨材収納袋に取付けられた吊りロープと、前記コンクリート骨材収納袋に収納された所定量のコンクリート骨材と、このコンクリート骨材が収納された前記コンクリート骨材収納袋内に開放された下部が折り曲げや重ね合わせで閉じられたセメント収納袋と、このセメント収納袋内に収納された所定量のセメントと、前記セメント収納袋の上部に取付けられた、使用時に前記吊りロープとほぼ同時に吊り上げられるように取付けられたセメント収納袋吊りロープとで構成されているので、コンクリート骨材収納袋に計量されたコンクリート骨材とセメントが収納されているので、建設現場で計量することなくコンクリートミキサーに投入して使用することができる。
したがって、最適な生コンクリートを効率よく確実に製造することができる。
【０００９】
（２）前記（１）によって、セメントはコンクリート骨材とは別なセメント収納袋に収納されているため、セメントの品質が低下するのを効率よく阻止することができる。
【００１０】
（３）前記（１）によって、吊りロープとセメント収納袋吊りロープをクレーン等のフックに係止させて吊り上げ、コンクリートミキサーの投入口で排出口を開放することにより、コンクリート骨材の落下によってセメント収納袋の底面が開口して、コンクリート骨材にセメントが混じりながら投入させることができる。
したがって、コンクリート骨材とセメントの混合も投入時に行なうことができる。
【００１１】
（４）前記（１）によって、コンクリート骨材とセメントが別々になっているので、使用するまでに日数があっても品質が低下するのを防止することができる。
【００１２】
（５）請求項２も前記（１）〜（４）と同様な効果が得られる。
【発明を実施するための最良の形態】
【００１３】
以下、図面に示す本発明を実施するための最良の形態より、本発明を詳細に説明する。
【００１４】
図１ないし図１１に示す本発明を実施するための最良の第１の形態において、１はコンクリート骨材工場から生コンクリートを使用する建設現場へトラック等で輸送されるコンクリート原料で、このコンクリート原料１は上部に開口部２が形成され、底面中央部に排出口３となる排出筒４が形成されたコンクリート骨材収納袋５、このコンクリート骨材収納袋５の排出口３を開閉する開閉手段として、前記排出筒４の外周部に一部が縫着固定されたロープ６、前記コンクリート骨材収納袋５の排出口３を下部に位置させた状態で吊り上げられるように、該コンクリート骨材収納袋５の両側面にコ字状に縫着等によって取付けられた上部がループとなる吊りロープ７、７、前記コンクリート骨材収納袋５内に収納されるポリエチレン等の合成樹脂材製のセメント収納袋８とからなるコンクリート原料の輸送袋９と、このコンクリート原料の輸送袋９のコンクリート骨材収納袋５内にコンクリート骨材工場で計量されて収納された砂や砂利等のコンクリート骨材１０と、このコンクリート骨材１０が収納されたコンクリート骨材収納袋５内のコンクリート骨材１０の上部に位置されるセメント収納袋８内にほぼ密封状態で収納された、コンクリート骨材工場で計量されたセメント１１とで構成されている。
【００１５】
前記セメント収納袋８は上下部が開口された筒状で、下部が折り曲げや重ね合わせで閉じられたセメント収納袋本体１２と、このセメント収納袋本体１２にセメント１１が収納された後、開口部１３を閉じて使用時に前記吊りロープ７、７が係止されるクレーン１４のフック１５に係止されるループとなるように取付けられたセメント収納袋吊りロープ１６とで構成されている。
【００１６】
上記構成のコンクリート原料１はコンクリート骨材工場でコンクリート原料の輸送袋９のコンクリート骨材収納袋５内にコンクリート骨材１０を計量して収納するとともに、このコンクリート骨材１０が収納されたコンクリート骨材収納袋５内に下端部を折り曲げや重ね合わせで閉じたセメント収納袋８を位置させ、上部開口部１３より計量されたセメント１１を収納し、該セメント収納袋８の開口部１３をセメント収納袋吊りロープ１６で閉じるとともに、吊り下げられるようにする。
しかる後、コンクリート骨材収納袋５の内部にセメント収納袋吊りロープ１６も収納して、あるいはセメント収納袋吊りロープ１６を外に出して開口部２をロープ１７等で閉じる。
【００１７】
この状態でクレーン１４のフック１５にコンクリート骨材収納袋５の吊りロープ７、７を係止させてトラック１８にコンクリート原料１を積み込んだり、トラック１８よりコンクリート原料１を使用現場へ下ろしたりする。
使用する場合には、コンクリート骨材収納袋５の開口部２のロープ１７を取外して開放する、あるいはそのままでコンクリートミキサー１９のホッパー２０へ供給するクレーン１４のフック１５に吊りロープ７、７とセメント収納袋吊りロープ１６を係止させて吊り上げ、コンクリートミキサー１９のホッパー２０へ排出筒４を位置させ、開閉手段としてのロープ６を開放して排出口３を開放することにより、コンクリート骨材収納袋５内のコンクリート骨材１０は排出筒４の排出口３よりホッパー２０内へ落下供給されるとともに、コンクリート骨材１０の排出によって、セメント収納袋８の下部の折り曲げや重ね合わせで閉じられていた部分が開放して、コンクリート骨材１０に混じってセメント１１がホッパー２０へ排出される。
この時、コンクリート骨材収納袋５のコンクリート骨材１０は中央部分より排出されるため、中央部分のセメント収納袋８の下部が開口し、効率よくコンクリート骨材１０とセメント１１とを混合しながら排出される。
上記構成のコンクリート原料１は使用されるまでコンクリート骨材１０とセメント１１とが別々になっており、コンクリート骨材１０の含有水分等によってセメント１１が悪影響を受けるのを防止することができる。
[発明を実施するための異なる形態]
【００１８】
次に、図１２ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図１２ないし図１４に示す本発明を実施するための第２の形態において、前記本発明を実施するための最良の第１の形態と主に異なる点は、上部開口部１３を開閉するロープ２１と、吊り上げるためのループ状のセメント収納袋吊りロープ１６とを取付けたセメント収納袋８Ａとコンクリート骨材収納袋５の両側および底面に位置するＵ字状に吊りロープ７Ａ、７Ａを縫着固定したものを使用したコンクリート原料の輸送袋９Ａを使用した点で、このようなコンクリート原料の輸送袋９Ａを用いて構成したコンクリート原料１Ａにしても、前記本発明を実施するための最良の第１の形態と同様な作用効果が得られる。
【００２０】
図１５ないし図１７に示す本発明を実施するための第３の形態において、前記本発明を実施するための第２の形態と主に異なる点は、底面を密閉状態にするとともに、所定の荷重が加わると裂ける切断溝２２を底面部に形成したセメント収納袋８Ｂを使用したコンクリート原料の輸送袋９Ｂを使用した点で、このようなコンクリート原料の輸送袋９Ｂを用いて構成したコンクリート原料１Ｂにしても前記本発明を実施するための第２の形態と同様な作用効果が得られる。
【００２１】
図１８および図１９に示す本発明を実施するための第４の形態において、前記本発明を実施するための最良の第１の形態と主に異なる点は、セメント収納袋８の開口部１３をコンクリート骨材収納袋５の開口部２を開閉するロープ１７で一緒に閉じるとともに、該閉じ部を吊りロープ７、７と一緒に吊り上げられるようにループ１７ａ部を形成したコンクリート原料の輸送袋９Ｃを使用した点で、このようなコンクリート原料の輸送袋９Ｃを用いて構成したコンクリート原料１Ｃにしても、前記本発明を実施するための最良の第１の形態と同様な作用効果が得られる。
【産業上の利用可能性】
【００２２】
本発明はコンクリート原料およびコンクリート原料の輸送袋を製造する産業で利用される。
【図面の簡単な説明】
【００２３】
【図１】本発明を実施するための最良の第１の形態の断面図。
【図２】本発明を実施するための最良の第１の形態の正面図。
【図３】本発明を実施するための最良の第１の形態の側面図。
【図４】本発明を実施するための最良の第１の形態のコンクリート骨材収納袋の説明図。
【図５】本発明を実施するための最良の第１の形態の排出口を閉じた状態の説明図。
【図６】本発明を実施するための最良の第１の形態のセメント収納袋の説明図。
【図７】本発明を実施するための最良の第１の形態のセメント収納袋の底部の折り曲げ状態の説明用正面図。
【図８】本発明を実施するための最良の第１の形態のセメント収納袋の底部の折り曲げ状態の説明用平面図。
【図９】本発明を実施するための最良の第１の形態の輸送時の吊り上げ状態の説明図。
【図１０】本発明を実施するための最良の第１の形態の使用時の吊り上げ状態の説明図。
【図１１】本発明を実施するための最良の第１の形態のホッパーへの排出状態を示す説明図。
【図１２】本発明を実施するための第２の形態の断面図。
【図１３】本発明を実施するための第２の形態の正面図。
【図１４】本発明を実施するための第２の形態のセメント収納袋の説明図。
【図１５】本発明を実施するための第３の形態の断面図。
【図１６】本発明を実施するための第３の形態のセメント収納袋の説明図。
【図１７】本発明を実施するための第３の形態のセメント収納袋の要部断面図。
【図１８】本発明を実施するための第４の形態の断面図。
【図１９】本発明を実施するための第４の形態の要部説明図。
【符号の説明】
【００２４】
１、１Ａ、１Ｂ、１Ｃ：コンクリート原料、
２：開口部、                                                ３：排出口、
４：排出筒、                                                ５：コンクリート骨材収納袋、
６：開閉手段としてのロープ、    ７、７Ａ：吊りロープ、
８、８Ａ、８Ｂ：セメント収納袋、
９、９Ａ、９Ｂ、９Ｃ：コンクリート原料の輸送袋、
１０：コンクリート骨材、                        １１：セメント、
１２：セメント収納袋本体、        １３：開口部、
１４：クレーン、                            １５：フック、
１６：セメント収納袋吊りロープ、
１７：ロープ、                                １８：トラック、
１９：コンクリートミキサー、    ２０：ホッパー、
２１：ロープ、                                ２２：切断溝。
【図１】
2006249855.tif 000003
【図２】
2006249855.tif 000004
【図３】
2006249855.tif 000005
【図４】
2006249855.tif 000006
【図５】
2006249855.tif 000007
【図６】
2006249855.tif 000008
【図７】
2006249855.tif 000009
【図８】
2006249855.tif 000010
【図９】
2006249855.tif 000011
【図１０】
2006249855.tif 000012
【図１１】
2006249855.tif 000013
【図１２】
2006249855.tif 000014
【図１３】
2006249855.tif 000015
【図１４】
2006249855.tif 000016
【図１５】
2006249855.tif 000017
【図１６】
2006249855.tif 000018
【図１７】
2006249855.tif 000019
【図１８】
2006249855.tif 000020
【図１９】
2006249855.tif 000021